(57)【要約】【課題】粒状菓子を破壊してしまったり又は形状を崩してしまうことがなく、粒状菓子を一つずつ順次に抽出させる。【解決手段】多数の粒状菓子類を収容できるようにした収容容器５が外周面に形成された筒状体２と、筒状体２内に配置されるとともに筒状体２の中心軸線に沿って回転自在に支持されている螺旋体３と、螺旋体３を前記筒状体２内で一定方向に回転作動させる回転駆動部及び、筒状体２の上端に形成したキャラクタ部４とから構成され、収容容器５内から筒状体２内の底部へ順次供給される粒状菓子Ｃを、筒状体２内で一定方向に回転する螺旋体３によって筒状体２内の上方へ移送させて、筒状体２の上端部の周壁に形成した開口２４を経由させてキャラクタ部４に形成した取出し口６から抽出させる。【選択図】図６
0003104652.tif 000002
【実用新案登録請求の範囲】
【請求項１】
多数の粒状菓子類を収容できるようにした収容容器が外周面に形成された筒状体と、該筒状体内に配置されるとともに筒状体の中心軸線に沿って回転自在に支持されている螺旋体と、該螺旋体を前記筒状体内で一定方向に回転作動させる回転駆動部及び、前記筒状体の上端に形成した頭部とから構成され、前記回転駆動部によって前記螺旋体を筒状体内で一定方向に回転させ、前記収容容器内から筒状体内の底部へ順次供給される粒状菓子を前記螺旋体の回転によって筒状体内の上方へ移送させて筒状体の上端部の周壁に形成した開口から筒状体の外へ排出させるとともに、この粒状菓子を前記頭部に形成した取出し口から抽出させるようにしたことを特徴とする粒状菓子類の取出し装置。
【請求項２】
前記筒状体の前方部分に透明材料から構成された窓板を形成して、筒状体内で上方に移送される粒状菓子類を外部から視認できるようにしたことを特徴とする請求項１に記載の粒状菓子類の取出し装置。
【請求項３】
前記螺旋体を回転する回転駆動部が、前記螺旋体の上端に形成したクラウンギヤと、該クラウンギヤと噛み合わせられてクラウンギヤを介して螺旋体を回転させるピニオンギヤ及び、該ピニオンギヤと噛み合わせられるラック歯とキャラクタ部の上方へ突出して配置された操作部とを備えるとともに前記キャラクタ部内に上下方向にスライド可能に支持された操作部材とにより構成されており、前記ピニオンギヤとクラウンギヤとを前記操作部材を一定の方向に操作させる際のみに噛み合わせるようにすることによって、前記螺旋体を一定方向に回転させるようにしたことを特徴とする請求項１又は請求項２に記載の粒状菓子類の取出し装置。
【請求項４】
前記頭部がキャラクタの形態を備えたことを特徴とする請求項１に記載の粒状菓子類の取出し装置。
【考案の詳細な説明】
【技術分野】
【０００１】
本考案は、球形状やタブレット形状等の粒状に形成された菓子類を収容容器内から所定の取出し口を経由させて順次一つずつ取り出すようにした粒状菓子類の取出し装置に関する。
【背景技術】
【０００２】
従来より球形状又はタブレット形状等の粒状に形成されたキャンディー菓子やチョコレート菓子又は清涼菓子等は、これらを収容するとともに一粒ずつ抽出できるようにした容器に収容されて販売されている。そして、これらの容器における従来の取り出し装置は、筒状の容器内に積み重ねた状態で菓子類を収容して、この容器の上端に人形や動物等のキャラクタを形取ったキャップを装着している。そして容器の底部に配置した押圧バネによって容器の上端部方向へ押圧させ、容器の最上端の位置に配置された押出し部材によって粒状菓子を側方へ押圧させて、筒状容器の上端部に形成されている取出口から容器の外へ一粒ずつ抽出させるようにしている。
【特許文献１】特開平１０−２５０７８０号公報
【考案の開示】
【考案が解決しようとする課題】
【０００３】
上記従来の菓子類の抽出装置では、筒状の容器内に積層させて収容した菓子を筒状容器内の最上端位置へ配置させるために、積層されている最下方の菓子の下端側からバネの付勢力を作用させて積層した菓子を上方へ押圧させている。このため、ラムネ菓子等の比較的脆い粒状菓子では、バネによる押圧によって形状が破壊してしまったり又は形状が崩れたりしてしまうことがある。また、容器の最上端位置に配置された菓子を押出し部材によって横方向へ押圧させて取出し口から抽出させる際にも、抽出される菓子の端縁部分にバネの押圧力が作用することによって菓子の周縁部が崩れてしまうことがあり、多くの菓子が無駄になってしまう等極めて不満な点が多かった。
【０００４】
本考案は、上記従来技術における問題点を解消して、菓子を破壊してしまったり又は形状を崩してしまうことがなく、粒状菓子を１つずつ順次に抽出させることができる、従来にない新規な構造の粒状菓子類の取出し装置を提供することを目的とする。
【課題を解決するための手段】
【０００５】
上記課題を解決するため本考案の粒状菓子類の取出し装置は、多数の粒状菓子類を収容できるようにした収容容器が外周面に形成された筒状体と、該筒状体内に配置されるとともに筒状体の中心軸線に沿って回転自在に支持されている螺旋体と、該螺旋体を前記筒状体内で一定方向に回転作動させる回転駆動部及び、前記筒状体の上端に形成した頭部とから構成され、前記回転駆動部によって前記螺旋体を筒状体内で一定方向に回転させ、前記収容容器内から筒状体内の底部へ順次供給される粒状菓子を前記螺旋体の回転によって筒状体内の上方へ移送させて筒状体の上端部の周壁に形成した開口から筒状体の外へ排出させるとともに、この粒状菓子を前記頭部に形成した取出し口から抽出させるようにしたことを特徴とする。
【０００６】
また、請求項２の考案は、前記筒状体の前方部分に透明材料から構成された窓板を形成して、筒状体内で上方に移送される粒状菓子類を外部から視認できるようにしたことを特徴とする。
【０００７】
また、請求項３の考案は、螺旋体を回転する回転駆動部が、前記螺旋体の上端に形成したクラウンギヤと、該クラウンギヤと噛み合わせられてクラウンギヤを介して螺旋体を回転させるピニオンギヤ及び、該ピニオンギヤと噛み合わせられるラック歯とキャラクタ部の上方へ突出して配置された操作部とを備えるとともに前記キャラクタ部内に上下方向にスライド可能に支持された操作部材とにより構成されており、前記ピニオンギヤとクラウンギヤとを前記操作部材を一定の方向に操作させる際のみに噛み合わせるようにすることによって、前記螺旋体を一定方向に回転させるようにしたことを特徴とする。
【０００８】
また、請求項４の考案は、頭部がキャラクタの形態を備えたことを特徴とする。
【考案の効果】
【０００９】
本考案によれば、多数の粒状菓子類を収容できるようにした収容容器が外周面に形成された筒状体と、該筒状体内に配置されるとともに筒状体の中心軸線に沿って回転自在に支持されている螺旋体と、該螺旋体を前記筒状体内で一定方向に回転作動させる回転駆動部及び、前記筒状体の上端に形成した頭部とから構成され、前記回転駆動部によって前記螺旋体を筒状体内で一定方向に回転させ、前記収容容器内から筒状体内の底部へ順次供給される粒状菓子を前記螺旋体の回転によって筒状体内の上方へ移送させて筒状体の上端部の周壁に形成した開口から筒状体の外へ排出させるとともに、この粒状菓子を前記頭部に形成した取出し口から抽出させるようにしているので、粒状菓子類は一定の方向に回転する螺旋体によって順次取出し口まで移送されて取出し口から抽出されるので、粒状菓子類にバネによる付勢力や押圧力が全く作用することが無く、従って脆い材料で形成された粒状菓子であっても移送中や抽出部で菓子が破壊されてしまうことが防止できる。
【００１０】
また、請求項２の考案によれば、前記筒状体の前方部分に透明材料から構成された窓板を形成して、筒状体内で上方に移送される粒状菓子類を外部から視認できるようにしているので、筒状体内で螺旋体によって上方へ移送される粒状菓子の状態が視認でき、視覚的な面白みを付加させられると同時に取出し装置内に残っている粒状菓子の残存数を知ることができる。
【００１１】
更に、請求項３の考案によれば、螺旋体を回転する回転駆動部が、前記螺旋体の上端に形成したクラウンギヤと、該クラウンギヤと噛み合わせられてクラウンギヤを介して螺旋体を回転させるピニオンギヤ及び、該ピニオンギヤと噛み合わせられるラック歯とキャラクタ部の上方へ突出して配置された操作部とを備えるとともに前記キャラクタ部内に上下方向にスライド可能に支持された操作部材とにより構成されており、前記ピニオンギヤとクラウンギヤとを前記操作部材を一定の方向に操作させる際のみに噛み合わせるようにすることによって、前記螺旋体を一定方向に回転させるようにしているので、操作部を押圧操作するのみの簡単な操作によって、螺旋体を一定方向に回転させることができ、例えば幼児であっても容易に粒状菓子類を取り出すことができる。
【００１２】
請求項４の考案によれば、粒状菓子類の抽出の動作をキャラクタ特有の作動に関連させているので、極めて面白く興味を抱かせるという効果がある。
【考案を実施するための最良の形態】
【００１３】
本考案は、菓子を破壊してしまったり又は形状を崩してしまうことがなく、粒状菓子を１つずつ順次に抽出させることができる、従来にない新規な構造の粒状菓子類の取出し装置を提供するという目的を、多数の粒状菓子類を収容できるようにした収容容器が外周面に形成された筒状体と、該筒状体内に配置されるとともに筒状体の中心軸線に沿って回転自在に支持されている螺旋体と、該螺旋体を前記筒状体内で一定方向に回転作動させる回転駆動部及び、前記筒状体の上端に形成したキャラクタ部とから構成され、前記回転駆動部によって前記螺旋体を筒状体内で一定方向に回転させ、前記収容容器内から筒状体内の底部へ順次供給される粒状菓子を前記螺旋体の回転によって筒状体内の上方へ移送させて筒状体の上端部の周壁に形成した開口から筒状体の外へ排出させるとともに、この粒状菓子を前記キャラクタ部に形成した取出し口から抽出させることによって実現したものであり、更に具体的な実施例を以下に説明する。
【実施例１】
【００１４】
本考案の粒状菓子類の取出し装置１は、図１乃至図３に示すように、内部に粒状菓子類を下から上方へ移送させるための螺旋体３を収容した筒状体２と、該筒状体２の上端に取り付けられているキャラクタ部（頭部）４によって構成されている。前記筒状体２の後方側の外側面には粒状菓子類を収容するとともに粒状菓子を前記筒状体２内の底部へ供給させるようにした収容容器５が一体に形成されており、また、前記キャラクタ４の前面側には前記螺旋体３によって筒状体２内の上端部まで移送された粒状菓子類を抽出させるための取出し口６と、この取出し口６を通常時に閉鎖させておくための蓋体７が設けられている。前記キャラクタ４内には前記螺旋体３を回転作動させるための回転駆動部が収容されており、この回転駆動部を駆動操作させるための操作部８がキャラクタ部４の上端から突出して配置されている。更に、前記筒状体２の前面側には開口窓９が形成されており、この開口窓９に透明な樹脂により形成されている窓板１０が装着されて筒状体２内が透視できるようにされている。
【００１５】
図４に示すように、筒状体２は筒状体２の中心線と交差して前後方向に延びている面上で２分割して構成されており、一方の半切筒状体２ａの上端部及び下端部にそれぞれ形成されている凸部１１を他方の半切筒状体２ｂの上端部及び下端部に形成されている嵌合穴１２に嵌合させることによって筒状体２が形成される。また、前記キャラクタ部４は筒状体２の中心線と交差して両側方向に延びている面上で２分割して形成されており、前部側のキャラクタ部４ａの内面側に形成した凸部（図示せず）を後部側のキャラクタ部４ｂに形成した嵌合穴１２に嵌合させることによってキャラクタ部４が形成されるようにしている。なお、図５に示すように、前部側と後部側のキャラクタ部４ａ、４ｂを一体に組み合わせる際にキャラクタ部４の下端に形成されている底縁１３の一部を筒状体２の周壁に形成した開口１４内に挿入して係合させることによって筒状体２とキャラクタ部４とを一体に接合させている。
【００１６】
図４及び図６に示すように、筒状体２の後方の外側面に一体に形成されている収容容器５は、粒状菓子類を積層した状態で収容できるように形成されており、その上端には開閉可能な蓋体１５が形成されており、この蓋体１５を開いて粒状菓子を収容容器内へ積層舌状態で入れることができる。この収容容器５内の下端部は前記筒状体２の底部内と連通されており、収容容器５の下端に形成されている傾斜底１６により収容容器５内に収容された粒状菓子が順次筒状体２内の底部へ誘導されて供給される。
【００１７】
図４乃至図６に示すように、螺旋体３は、前記筒状体２の中心軸に沿って配置される回転軸部１７の周囲に筒状体２内の粒状菓子と係合して粒状菓子を上方へ移送させるための誘導板１８が前記回転軸部１７の下端部から上端方向に向けて螺旋状に連続して形成されて構成されており、この回転軸部１７の下端が前記筒状体２の底壁１９に形成された開口２０内に支持されるとともに、回転軸部１７の上端部分が筒状体２の上端に形成されている筒状ガイド２１によって支持されることによって筒状体２内で回転自在に配置されている。筒状体２の内周面と前記螺旋体３の誘導板１８の外周縁との間に所定の間隙ができるように形成されており、筒状体２の内周面には粒状菓子類を円周方向に誘導案内する環状に形成された誘導ガイド片２２と、粒状菓子類の円周方向の移動を規制させるようにした回動規制片２３とがそれぞれ所定箇所に形成されており、これらの誘導ガイド片２２、回動規制片２３及び螺旋状の誘導板１８によって粒状菓子が筒状体２内の下端から上方へ移送される。なお、前記誘導板１８の下端には収容容器５内から筒状体２の底壁１９上に配置された粒状菓子を誘導板１８の上面側へ誘導させるための誘導板１８よりも外径方向へ突出させた掬い片１８ａが形成されている。
【００１８】
前記筒状体２の開口窓９に装着される窓板１０は筒状体２に装着された状態で筒状体２の円周内面と同一の内周面を形成するように透明の合成樹脂によって円弧状に形成されている。そして、この窓板１０の内側面には、筒状体２内で螺旋体３によって移送される粒状菓子の円周方向の移動を規制させるようにした縦方向に配置された２つの回動規制片２３ａ、２３ｂが形成されている。螺旋体３の回転方向の前方側に配置された回動規制片２３ａは螺旋体３の回転方向の後方側に形成されている回動規制片２３ｂよりも下端部の位置が下側になるように形成されており、螺旋体３の回転に伴って環状の誘導ガイド片２２に沿って円周方向に移送される粒状菓子を回動規制片２３ａによって回転を規制させて螺旋体３の回転に伴って上方へ移送させるようにし、更に、後方側の回動規制片２３ｂによって周方向の逆側への移動を規制させて、粒状菓子を垂直の方向へ移動させるように誘導案内させている。
【００１９】
前記筒状体２の上端部の前方部分には、前記キャラクタ部４に形成されている取出し口６と対向するように開口２４が形成されるとともに、前記螺旋体３の誘導板１８の上端部には半径方向外側に膨出させた押出し片２５が形成されており、前記螺旋体３によって筒状体２の上方へ搬送された粒状菓子が前記押出し片２５によって外側へ押圧されて開口２４から筒状体２の外側へ押し出され、更にキャラクタ４に形成されている取出し口６から抽出される。尚、粒状菓子が取出し口６から抽出される際には、取出し口６を覆っている蓋体７が水平となる位置まで回動して、取出し口６から抽出される粒状菓子をその上面によって受けるようにしている。
【００２０】
筒状体２の上端から突出されている螺旋体３の軸部１７の上端にはクラウンギヤ２６が形成されており、このクラウンギヤ２６を介して螺旋体３を回転させるようにしている。そして、このクラウンギヤ２６が形成されている螺旋体３の軸部１７の上端部を収容しているキャラクタ部４内にはこの螺旋体３を回転させる回転駆動部が形成されている。この回転駆動部は、前後方向に向けて支持されている回転軸２７に形成されるとともに前記クラウンギヤ２６と噛み合わせられているピニオンギヤ２８と、該ピニオンギヤ２８と噛み合わせられてピニオンギヤ２８を回転させるラック歯２９を形成している操作部材３０とから構成されている。
【００２１】
前記操作部材３０はキャラクタ部４内に形成されているガイド片３１によって上下方向にスライド可能に支持されており、この操作部材３０に形成した係止片３２とキャラクタ部４内に形成した凸軸３３との間に配設したバネ３４によって前記操作部材３０が常時上方側に配置されるようにバネ付勢されている。この操作部材３０と連杆３５を介して連結されている前記操作部８がキャラクタ部４の上端に形成されている開口３６から上方へ突出されて配置されている。この操作部８を押下操作することによって操作部材３０を下方へスライド作動させて、この操作部材３０に形成されているラック歯２９をピニオンギヤ２８に対してスライド作動してピニオンギヤ２８を回転させて、ピニオンギヤ２８と噛み合っているクラウンギヤ２６を介して螺旋体３を回転させるようにしている。
【００２２】
前記ピニオンギヤ２８を固定している回転軸２７は前後方向に分割されている各キャラクタ部４ａ、４ｂの内側面に形成されている軸受け３７、３８によって支持されているが、図６及び図７に示すように、ピニオンギヤ２８に近い側の一方の軸受け３８は、上下方向に長い長穴によって前記回転軸２７を支持しており、図７に示すように、操作部８が押下操作されて操作部材３０が下端位置まで操作された後に、該操作部材３０がバネ３４の弾力によって上方へ復帰作動する際には、この操作部材３０に形成されているラック歯２９と噛み合っているピニオンギヤ２８が回転軸２７とともに上方へ引き上げられて移動してピニオンギヤ２８とクラウンギヤ２６の噛み合いが開放される。この結果、操作部材３０がバネ３４弾力によって上方に向けて作動する際には螺旋体３側へ回転が伝わらないようにしている。これによって、操作部８を押下する操作とバネ３４によって操作部材３０を上方へ復帰させる動作を繰り返し行うことによって螺旋体３を一定方向に回転させるようにしている。
【００２３】
以下、上記実施例に係る粒状菓子類の取出し装置１の作動状態を説明する。収容容器５内に所定数の粒状菓子Ｃを装填して取出し装置１を垂直な状態に設置すると、図６に示すように、収容容器５内の最下端の粒状菓子Ｃが収容容器５の下端に形成されている傾斜底１６によって誘導されて筒状体２内の底部に出される。そしてこの状態から取出し装置１の上端から上方に突出されている操作部８を押下操作すると、これによって螺旋体３が所定の方向に回転作動される。螺旋体３が回転することによって、図９に示すように、螺旋体３の誘導板１８の下端に形成されている掬い片１８ａが粒状菓子Cの下側に進入して粒状菓子を下側から掬い上げるようにして上方へ移動させて誘導板１８の上面へ移動させる。
【００２４】
前記筒状体２内の収容容器５と接続されている部分には回動規制片２３が形成されているので粒状菓子Ｃは螺旋体３の回転に伴って上方へ移送され、粒状菓子Ｃが筒状体２の内周面に環状に形成されている誘導ガイド片２２の上面側まで上方移動した後は、この誘導ガイド片２２に沿って螺旋体３の回転に伴って円周方向に移送される。そして、誘導ガイド片２２に沿って周方向に移送される粒状菓子Ｃが、筒状体２の前面に形成された開口窓９に装着されている窓板１０に形成されている回動規制片２３ａと当接することによって回転方向の移動が規制され、この回動規制片２３ａに沿って上方へ移送される。
【００２５】
螺旋体３の回転に伴って粒状菓子Ｃが更に上方へ移動すると、図１０に示すように、螺旋体３の回転方向の前後が窓板１０の内側面に形成されている回動規制片２３ａ、２３ｂによって規制され、粒状菓子がこの窓板１０の内面に沿って上方へ移動される。窓板１０が透明な樹脂等によって形成されているのでこの粒状菓子Ｃの移送状態が透視できる。
【００２６】
筒状体２の最上部まで移送された粒状菓子Ｃは、筒状体２の前方側の周壁に形成された開口２４と、この開口２４と対向させて形成されている取出し口６に対向した位置に配置され、螺旋体３の回転に伴って回転される押出し片２５によって開口２４を経て筒状体２の外側へ押し出され、更に、キャラクタ部４に形成された取出し口６を経て通常時にはこの取出し口６を閉鎖している水平状態に開かれた蓋体７の上に抽出される。
【００２７】
上記実施例では、取出し口６をキャラクタ部の腹部に形成して、この取出し口６を閉鎖する蓋体７をこの腹部に形成されたポケットとして形成しており、枢着支持されたポケットを水平状態に回動させて取出し口６から抽出される粒状菓子Ｃをこの上面で受けるようにしているので、従来の取出し装置のように、単に容器に開口形成した取出し口から抽出させるだけでなく、粒状菓子類の抽出の動作をキャラクタ特有の作動に関連させているので、極めて面白く興味を抱かせるという効果がある。なお、本考案はこの構造に限定されるものではない。
【００２８】
上記のように、本考案においては、筒状体２内に形成した螺旋体３によって収容容器５内に収容した粒状菓子Ｃを順次下方から上方へ移送させて、キャラクタ部４に形成した取出し口６から抽出させるようにしているので、粒状菓子Ｃに大きな押圧力やこの押圧力に抗して粒状菓子を押し出す等の大きな外力が作用することがないので、形状を破壊したり又は崩してしまうことがない。また、上方へ突出させて配置した操作部８を押下操作するのみで粒状菓子を１つずつ取り出すことができ、幼児でも簡単に操作することが可能である。
【図面の簡単な説明】
【００２９】
【図１】本考案の粒状菓子類の取出し装置を示す斜視図
【図２】本考案の粒状菓子類の取出し装置を示す正面図
【図３】本考案の粒状菓子類の取出し装置を示す側面図
【図４】考案の粒状菓子類の取出し装置を構成している各部材を示す分解斜視図
【図５】本考案の粒状菓子類の取出し装置の縦断正面図
【図６】本考案の粒状菓子類の取出し装置の縦断側面図
【図７】操作部材が上方へ作動している状態を示す要部の縦断側面図
【図８】図７と同じ状態の縦断正面図
【図９】図６におけるＡ−Ａ線での断面図
【図１０】図６におけるＢ−Ｂ線での断面図
【図１１】図６におけるＣ−Ｃ線での断面図
【符号の説明】
【００３０】
１  取出し装置
２  筒状体
３  螺旋体
４  キャラクタ部（頭部）
５  収容容器
６  取出し口
７  蓋体
８  操作部
９  開口窓
１０  窓板
２４  開口
【図１】
0003104652.tif 000003
【図２】
0003104652.tif 000004
【図３】
0003104652.tif 000005
【図４】
0003104652.tif 000006
【図５】
0003104652.tif 000007
【図６】
0003104652.tif 000008
【図７】
0003104652.tif 000009
【図８】
0003104652.tif 000010
【図９】
0003104652.tif 000011
【図１０】
0003104652.tif 000012
【図１１】
0003104652.tif 000013